(57)【要約】【課題】  ＩＣタグを搭載し回転バランスが損なわれることなく安定して記録または再生を行うことができるディスク状記録媒体を提供する。【解決手段】  ディスクの固有情報を記録した複数のＩＣチップ（１２）を備え、この複数のＩＣチップ（１２）を、ディスク状記録媒体（１１）の重心（Ｇ）がその中心線（Ｃ）上に位置するように内蔵した。また、少なくとも一つのＩＣチップ（１２）が無線ＩＣタグであり、その無線ＩＣタグの表面を外部に露出させた。【選択図】      図２
2006155766.tif 000002
【特許請求の範囲】
【請求項１】
複数のＩＣチップを備えたディスク状記録媒体であって、
該ディスク状記録媒体の重心がその中心線上に位置するよう前記複数のＩＣチップを内蔵して成ることを特徴とするディスク状記録媒体。
【請求項２】
前記複数のＩＣチップの内、少なくとも一つが無線ＩＣタグであり、その無線ＩＣタグの表面を外部に露出させて成ることを特徴とする請求項１記載のディスク状記録媒体。
【発明の詳細な説明】
【技術分野】
【０００１】
本発明は、ディスク状記録媒体に係り、特に、ＩＣタグを備えたディスク状記録媒体に関する。
【背景技術】
【０００２】
近年、大容量で可搬性に優れたディスク状記録媒体が普及している。このディスク状記録媒体の代表的な種類として光ディスク，光磁気ディスク等があり、さらに具体的な例としては、ＣＤ，ＤＶＤ，Ｂｌｕ−Ｒａｙディスク，ＭＤ等を挙げることができる。これらのディスクには再生専用のものや書き換え可能なものが含まれる。
【０００３】
しかしながら、これらディスク状記録媒体は、その優れた可搬性から、不必要に持ち出され、不適切に情報が外部に流出してしまうおそれがある。
このような情報の流出を防止する目的で、ディスク状記録媒体にＩＣタグを設けたものが提案されている（特許文献１参照）。このＩＣタグをディスク状記録媒体に設けることで、このＩＣタグが非接触の無線タグの場合、無線通信する媒体管理装置を用いてディスク一枚毎に独立した管理が可能となる。
【特許文献１】特開２００３−３１７０４８号公報
【発明の開示】
【発明が解決しようとする課題】
【０００４】
しかしながら、ディスク状記録媒体に対して情報を記録または再生する際には、この記録媒体を記録再生装置に装着し高速で回転させる。
すると、ＩＣタグを搭載したことによりディスクの回転バランスが損なわれて振動が発生し、安定した記録再生が行えなくなるという不具合があった。
そこで、本発明が解決しようとする課題は、ＩＣタグを搭載し回転バランスが損なわれることなく安定して記録または再生を行うことができるディスク状記録媒体を提供することにある。
【課題を解決するための手段】
【０００５】
上記の課題を解決するために、本願発明は手段として次の構成を有する。
即ち、請求項１に係る発明は、複数のＩＣチップ（１２）を備えたディスク状記録媒体であって、
該ディスク状記録媒体（１１）の重心（Ｇ）がその中心線（Ｃ）上に位置するよう前記複数のＩＣチップ（１２）を内蔵して成ることを特徴とするディスク状記録媒体（１１）である。
また、請求項２に係る発明は、前記複数のＩＣチップ（１２）の内、少なくとも一つが無線ＩＣタグ（１２）であり、その表面を外部に露出させて成ることを特徴とする請求項１記載のディスク状記録媒体である。
【発明の効果】
【０００６】
本発明によれば、ＩＣチップを備えつつ安定しかつ記録または再生が可能になるという効果を奏する。
【発明を実施するための最良の形態】
【０００７】
本発明の実施の形態を、好ましい実施例により図１〜図６を用いて説明する。
図１は、本発明のディスク状記録媒体の実施例１を示す平面図である。
図２は、本発明のディスク状記録媒体における他の実施例を示す平面図である。
図３は、本発明のディスク状記録媒体の実施例１を示す断面図である。
図４は、本発明のディスク状記録媒体の実施例２を示す要部断面図である。
図５は、本発明のディスク状記録媒体の実施例における製造工程を説明するフローチャートである。
図６は、本発明のディスク状記録媒体の実施例２における製造工程を説明する図である。
【０００８】
＜実施例１＞
実施例１のディスク状記録媒体１１（以下、単にディスク１と称する場合がある）をその平面図である図１に示す。
このディスク１１は、中央にチャッキング用中心孔１１ａが形成されており、ディスク中心Ｃから半径Ｒ上の内部に一対のＩＣタグ１２が配置内蔵されている。
従って、ＩＣタグ１２を備えながらも、ディスク全体の重心Ｇの位置がディスク中心線Ｃ上に位置している。
このＩＣタグ１２は、これが搭載されたディスク１１の固有情報が記録されたＩＣチップである。一対のＩＣタグ１２の両方に情報が記録されていなくてもよく、一方だけに情報が記録されていてもよい。このチップが所謂無線認証ＲＦＩＤ・ＩＣタグの場合には、別の媒体管理装置と非接触に無線交信をすることで、このＩＣタグを備えたディスクの固有情報管理、例として履歴管理，所在管理，収録情報管理等を行うことができる。
【０００９】
このディスク１１を光ディスクとした場合の製造方法は以下の通りである。ディスク１１の断面図である図３とフローチャート図４とを用い、工程順に説明する。
（工程）
１）ガラス原盤の表面を研磨洗浄する（Ｓ１）。そして、その表面上にレジストを塗布する（Ｓ２）。
２）レジスト上にレーザ光を照射して記録する信号をカッティングし、現像により信号溝を形成する（Ｓ３）。
３）信号溝を含んで表面上にニッケル導電膜をスパッタリングにより形成し（導電化処理）、電鋳により原盤からメタルマスタＭＭを作成する（Ｓ４，Ｓ５）。
４）このメタルマスタＭＭに対して、付着したレジストの除去，裏面研磨，内外周加工等を施す（Ｓ６〜Ｓ８）。
５）メタルマスタＭＭを射出成形用の金型に装着し、安価で量産に適した射出成形によりメタルマスタＭＭに対して信号溝形状が反転したレプリカ基板ＲＥを成形する（Ｓ９）。用いる成形材料は、ＰＣ（ポリカーボネート樹脂）である。
６）成形して得たレプリカ基板ＲＥの信号面ＲＥａ上に、反射層２をスパッタリング等により形成する（Ｓ１０）。この状態で、レプリカ基板ＲＥの中心孔１２ａ周辺の非記録領域Ａ１に反射層２は形成されていない。
７）次に、一面に接着剤１２ａを塗布した一対のＩＣタグ１２を非記録領域Ａ１に固着する。その際、一対のＩＣタグ１２は、ディスク中心Ｃを挟んでこの中心から等距離Ｒとなるように配置する（Ｓ１１）。
８）紫外線硬化樹脂を、反射層２と非記録領域Ａ１とを含むディスク表面全体に滴下すると共にディスクを回転してスピン塗布する（Ｓ１２）。
この塗布においては、他の方法としてスクリーン印刷法，カーテンコート法あるいはインクジェット法等を用いてもよい。
９）紫外線を照射して紫外線硬化樹脂を硬化させる（Ｓ１３）。これにより、ＩＣタグ１２を覆う保護層４が形成される。
１０）保護層４上に、タイトル等の印刷層５を形成する（Ｓ１４）。
以上の工程により、ディスク１１を作成する。
【００１０】
＜実施例２＞
次に、実施例２について説明する。この実施例２のディスク１１Ａは、内臓した複数のＩＣチップの内、少なくとも一つが無線ＩＣタグ１２であり、その表面がディスク表面に露出するように形成したものである。また、この実施例２も、ＩＣタグ１２を備えながらも、ディスク全体の重心Ｇの位置がディスク中心線Ｃ上に位置しているものである。
以下に、実施例１と異なる部分について、図３に対する要部拡大図である図４，フローチャート図３（特に実施例２指示範囲）及び図５を用いて説明する。ディスク表面に露出させるＩＣタグ１２は、上述のように、ディスク１１Ａに搭載した複数のＩＣタグ１２のすべてでなくてもよく、少なくとも、固有情報が記録され別の媒体管理装置と無線交信する無線ＩＣタグの表面がディスク表面に露出していればよいが、重心Ｇを中心線Ｃに完全に合致させてより精密に重量バランスを取るには、ＩＣタグを被覆する保護層の重量も考慮して、すべてのＩＣタグの表面を露出させるのが最も望ましい。
この実施例において、図５に示すように、ＩＣタグ１２には、その接着剤１２ａを塗布した面とは反対側の面にあらかじめ選択粘着層８ａを介して紫外線硬化性を有するストリップマスク８を形成しておく（Ｓ１５）。
【００１１】
工程Ｓ１０までは実施例と同様である。
その次に、ストリップマスク８を接着したＩＣタグ１２を、接着剤１２ａを介して基板ＲＥ表面に固着する（Ｓ１１−２）。そして、紫外線硬化樹脂をスピン塗布し（Ｓ１２−２）、紫外線照射を経て保護層４を形成する（Ｓ１３−２）。
この際、保護層４からストリップマスク８が露出するように両者の厚みを設定しておく。
次にストリップマスク８を剥離して除去する（Ｓ１６）。この剥離は、ストリップマスク８のＩＣタグ１２への貼着に選択粘着層８ａを用いていることから容易に行える。
そして、保護層４を硬化形成し（Ｓ１３）、タイトル印刷を施す（Ｓ１４）。
以上によりディスク１１Ａを得る。
このディスク１１Ａは、図４に示すように、ＩＣタグ１２の天面が外部に露出している。従って、無線交信の感度がより向上し、良好な通信を媒体管理装置と行うことができる。
【００１２】
ここで、ストリップマスク８は、図５に示すような略三角錐状、あるいは、逆台形形状の頭部を有するように形成しておくのがよい。これは、例えば一般的なパターニングで周知のリフトオフ法により形成することができる。
この略三角錐形状により、覆うように塗布される紫外線硬化樹脂が傾斜面を滑り、このマスク８上に樹脂が塗布されるのを効果的に防止することができる。
選択粘着層８ａは、他の工程中に付与される熱による接着力低下がなく、また洗浄工程で除去できるよう水溶性であることが望ましい。
【００１３】
実施例２のように無線ＩＣタグ１２の表面を露出させることで、無線通信の際の感度がより向上し、このディスク１１Ａと、ＩＣタグ１２を介してこのディスク１１Ａを管理する媒体管理装置間との情報のやりとりが良好に行えるので好ましい。
【００１４】
本発明の実施例は、上述した構成及び手順に限定されるものではなく、本発明の要旨を逸脱しない範囲において変形例としてもよいのは言うまでもない。
ディスク１１（１１Ａ）に搭載するＩＣタグ１２は、上述した一対でなくてもよく、ディスク１１（１１Ａ）の中心線Ｃ上に重心Ｇが位置するように３つ以上のＩＣタグを固着してもよい。従って、その場合、それぞれが同一半径上に配置されていなくてもよい。
例として、３つのＩＣタグ１２を１２０°間隔で中心線Ｃから半径Ｒの円上に配置し、表面の一部を露出させたディスク１１Ａを図２に示している。
尚、図３，図４において記載した重心Ｇは、これが中心軸Ｃ上にあることを示したものであり、その軸方向位置はこれに限定されるものではない。
【図面の簡単な説明】
【００１５】
【図１】本発明のディスク状記録媒体の実施例１を示す平面図である。
【図２】本発明のディスク状記録媒体における他の実施例を示す平面図である。
【図３】本発明のディスク状記録媒体の実施例１を示す断面図である。
【図４】本発明のディスク状記録媒体の実施例２を示す要部断面図である。
【図５】本発明のディスク状記録媒体の実施例における製造工程を説明するフローチャートである。
【図６】本発明のディスク状記録媒体の実施例２における製造工程の中間形態を説明する図である。
【符号の説明】
【００１６】
３  反射層
４  保護層
５  印刷層
８  ストリップマスク
８ａ  選択粘着層
８ｂ  傾斜面
１１，１１Ａ  ディスク（ディスク状記録媒体）
１１ａ  中心孔
１２  （無線）ＩＣタグ（ＩＣチップ）
１２ａ  接着剤
Ａ１  非記録領域
Ｃ  中心線
Ｇ  重心
ＭＭ  メタルマスタ
Ｒ  半径
ＲＥ  レプリカ基板
ＲＥａ  信号面
【図１】
2006155766.tif 000003
【図２】
2006155766.tif 000004
【図３】
2006155766.tif 000005
【図４】
2006155766.tif 000006
【図５】
2006155766.tif 000007
【図６】
2006155766.tif 000008